(57)【特許請求の範囲】
【請求項１】
押圧操作に伴い配線回路をオンオフするスイッチ本体と、該スイッチ本体を装着する取付ユニットと、前記スイッチ本体に着脱自在に装着される操作板とを備え、さらに前記操作板に、裏面側から表示体が配置されるとともに当該表示体を表面側から透視可能な表示部と、この表示部に配置された前記表示体を裏面側から保持する表示体保持カバーと、を備えたスイッチ装置において、
前記表示部は、前記操作板の表面に形成した凹部と、この凹部内の適所に形成した表示開口部と、前記凹部内に配置され前記表示開口部と対応する位置に透明表示窓を有した化粧シートと、前記凹部に嵌め込み固定される透明フードと、を含み、
前記スイッチ本体の略中央上部に、状態表示用の発光体を設けるとともに、
前記表示体保持カバーに、前記発光体からの光線を前記表示部に導く導光体を装着し、
前記化粧シートに、前記導光体に導かれ且つ前記表示開口部を透過してきた前記発光体からの光線を前記操作板の表面側に透過させる発光確認窓を形成したことを特徴とするスイッチ装置。
【請求項２】
請求項１記載のスイッチ装置において、
前記表示体保持カバーは、前記操作板の裏面に回動自在に支持され、かつ前記表示開口部の閉塞状態を保持する係止手段を有し、前記表示開口部を裏面側から開閉することを特徴とするスイッチ装置。
【請求項３】
請求項１又は２に記載のスイッチ装置において、
前記発光体、導光体、および発光確認窓を、直線上に配置したことを特徴とするスイッチ装置。
【請求項４】
押圧操作に伴い配線回路をオンオフするスイッチ本体と、該スイッチ本体を装着する取付ユニットと、前記スイッチ本体に着脱自在に装着される操作板とを備え、さらに前記操作板に、裏面側から表示体が配置されるとともに当該表示体を表面側から透視可能な表示部と、この表示部に配置された前記表示体を裏面側から保持する表示体保持カバーと、を備えたスイッチ装置において、
前記スイッチ本体に、略中央上部に状態表示用の発光体を備えるとともに、
前記操作板に、前記表示体保持カバーに装着され前記発光体からの光線を透過する導光体と、この導光体を透過してきた光線を表面側へ透過する発光確認窓と、を備えたことを特徴とするスイッチ装置。
【請求項５】
請求項４に記載のスイッチ装置において、
前記発光体、導光体、および発光確認窓を、直線上に配置したことを特徴とするスイッチ装置。
【発明の詳細な説明】
【０００１】
【発明の属する技術分野】
この発明は、屋内配線回路をオンオフするために屋内の壁面等に施設されるスイッチ装置に関する。
【０００２】
【従来の技術】
屋内配線器具に分類されるこの種のスイッチ装置には、同装置によってオンオフ制御される照明等の設置場所を使用者に認識させるために、「居間」「廊下」「トイレ」「洗面」などの表示が付された表示体を保持する構造を備えたものがある。
【０００３】
図１０は従来の表示体の保持構造を示す斜視図である。同図に示す如く、従来のスイッチ装置は、操作板１の表面側に形成した表示部２が、表示体３の保持構造を兼ね備えていた。すなわち、表示部２は、配置凹部４と、この配置凹部４を囲んで形成された表面凹部５とを備え、配置凹部４に表示体３を配置した後、化粧シート６と称する透明表示窓６ａを有する薄肉フィルムを表面凹部５に嵌め込み、続いて透明な樹脂板からなる透明フード７を表面凹部５に嵌合固定する構造となっていた。配置凹部４に配置された表示体３は、化粧シート６の透明表示窓６ａないし透明フード７を透して外部から視認することができる。
【０００４】
【発明が解決しようとする課題】
上記従来の表示体保持構造では、表示体３を取り替える場合、まず透明フード７を表面凹部５から取り外さなければならないが、透明フード７は表面凹部５に嵌合固定してあるため、その取り外し作業に困難性を有し、しかもドライバ等の工具を用いての作業となるので、透明フード７等をその作業中に傷つけてしまうおそれもあった。また、一般に透明フード７は表裏面の判別が難しい形態となっているため、ユーザが表裏を逆に取り付けてしまう可能性もあり、さらに薄肉の化粧シート６を折り曲げてしまう危険もあるため、これらに注意して行う必要のある表示体３の取り替え作業は、総じて煩雑であった。
本発明はこのような事情に鑑みてなされたもので、表示部を傷つけることなく、表示体の取り替え作業を容易に行い得るスイッチ装置の提供を目的とする。
【０００５】
【課題を解決するための手段】
上記目的を達成するために、本発明は、押圧操作に伴い配線回路をオンオフするスイッチ本体と、該スイッチ本体を装着する取付ユニットと、スイッチ本体に着脱自在に装着される操作板と、を備えたスイッチ装置において、上記操作板に、裏面側から表示体を保持する表示体保持構造と、該表示体保持構造に保持された表示体を表面側から透視可能な表示部と、を形成したことを特徴とする。
【０００６】
上記構成の本発明によれば、表示部とは別個に形成した表示体保持構造により、表示体を操作板の裏面側から保持するので、表示部を傷つけることなく表示体の取り替え作業を行うことができる。
【０００７】
ここで、表示部は、操作板の表面に形成した凹部と、この凹部内の適所に形成した表示開口部と、凹部内に配置され表示開口部と対応する位置に透明表示窓を有した化粧シートと、凹部に嵌め込み固定される透明フードと、を含む構成とすることができる。
【０００８】
また、表示体保持構造は、表示開口部を裏面側から開閉する表示体保持カバーを含む構成とすることが好ましい。このように構成すれば、表示体保持カバーの開閉操作をもって、容易に表示体の取り替え作業を行うことが可能となる。この表示体保持カバーは、例えば、操作板の裏面に回動自在に支持され、かつ表示開口部の閉塞状態を保持する係止手段を有した構成とすることができる。
【０００９】
さらに、スイッチ本体の略中央上部に、状態表示用の発光体を設けるとともに、表示体保持カバーに、発光体からの光線を表示部に導く導光体を装着し、且つ、化粧シートに、導光体に導かれ且つ表示開口部を透過してきた発光体からの光線を操作板の表面側に透過させる発光確認窓を形成してもよい。このように構成することで、スイッチ装置に備えられた発光体からの光線を、操作板の表面側から明瞭に確認することが可能となる。
ここで、発光体、導光体、および発光確認窓を、直線上に配置すれば、発光体からの光線を、少ない減衰量で操作板の表面側へ透過させることが可能となる。
【００１０】
【発明の実施の形態】
以下、この発明の実施の形態について図面を参照して詳細に説明する。
図１は本発明の実施形態に係るスイッチ装置の分解斜視図、図２は同スイッチ装置の外観を示す斜視図、図３は同スイッチ装置を図２のＡ−Ａ線方向に切断した断面図である。
【００１１】
図１に示す如く、本実施形態に係るスイッチ装置は、スイッチ本体１００、取付ユニット２００、化粧プレート３００、および操作板４００を備えており、取付ユニット２００にスイッチ本体１００が装着される。取付ユニット２００は、室内の壁面等にねじ止めされ、その外周を化粧プレート３００によって被覆される。操作板４００は、化粧プレート３００の中央部に形成した開口部３０１を介してスイッチ本体１００の作動子１１２に装着され、外部から加えられる押圧力を作動子１１２に伝える。
【００１２】
図４はスイッチ本体の分解斜視図、図５（ａ）はスイッチ本体の平面図、図５（ｂ）はスイッチ本体の正面図、図５（ｃ）はスイッチ本体の正面断面図である。なお、これらの図に示すスイッチ本体１００は、いわゆる三路スイッチを構成しているが、本発明に適用されるスイッチ本体はこれに限定されず、通常のオンオフスイッチや四路スイッチ等、屋内配線回路のオンオフに用いられる各種スイッチ本体が適用可能である。
【００１３】
スイッチ本体１００は、図４に示す如く、ケース１０１および蓋体１０２で外筐体を形成しており、その内部に、速結端子を構成する押えバネ１０３とリリースボタン１０４、固定接点１０５ａを有する固定端子１０５、切替接点１０６ａを有する切替端子１０６、支持バネ１０７ａを有する共通端子１０７、可動接点１０８ａを有する可動接触子１０８、ランプホルダ１０９に保持されたネオン管（発光体）１１０、転換子１１１、および作動子１１２等の構成部品を内蔵している。
【００１４】
押えバネ１０３は、各端子１０５，１０６，１０７にそれぞれ対応して設けられており、ケース１０１の電線挿入孔１０１ａ（図５（ｃ）参照）から差し込まれた電線を各端子１０５，１０６，１０７とそれぞれ協同して挟持する。リリースボタン１０４は、押えバネ１０３による電線の挟持状態を解除するための構成部品であり、ケース１０１の解除孔１０１ｂ（図５（ｃ）参照）からドライバ等の工具を差し込んでリリースボタン１０４を移動させることにより、該リリースボタン１０４が押えバネ１０３の先端（電線挟持端）を撓ませて、電線の挟持状態を解除する。
【００１５】
図５（ｃ）に示す如く、固定接点１０５ａと切替接点１０６ａとは、互いに対向配置され、その中間部に可動接触子１０８が配置される。可動接触子１０８は、基端が共通端子１０７の支持バネ１０７ａ上に載置され、かつ上端縁が転換子１１１の作動アーム１１１ａと係合しており、転換子１１１の揺動に伴い、基端を支点として回動する。この可動接触子１０８の回動により、可動接点１０８ａが固定接点１０５ａと切替接点１０６ａのいずれか一方と接触する。なお、可動接触子１０８が回動する際の沈み込みを許容するために、支持バネ１０７ａは弾力的に変形可能となっている。また、この支持バネ１０７ａと可動接触子１０８は、ケース１０１の内底部に設けたコイルバネ１１３によって付勢されて、いわゆるトグル機構を形成している。
【００１６】
ランプホルダ１０９は、転換子１１１に組み合わされており、転換子１１１と一体に揺動する。ネオン管１１０は、ランプホルダ１０９の揺動に伴い、スイッチ本体１００に接続される配線回路のオンオフに合わせて点灯または消灯する。このネオン管１１０は、スイッチ本体１００の略中央上部に配置してある。
【００１７】
作動子１１２は、蓋体１０２に形成した軸受部１０２ａに支点１１２ａが支持され、この支点１１２ａを中心として揺動自在となっている。作動子１１２の揺動は、転換子１１１に拡大して伝えられる。なお、この揺動機構については、例えば特開平３−２０５７１４号公報に開示されている。
作動子１１２には、ネオン管１１０と対向する位置にランプフード１１４が設けてあり、ネオン管１１０から発せられた光線をランプフード１１４を介して外部に放出する。さらに、作動子１１２には、操作板４００を装着するための係止バネ１１５が設けてある。
【００１８】
本実施形態の取付ユニット２００は、取付枠２１０と補強枠２２０とで構成してある。取付枠２１０には、スイッチ本体１００を装着するための装着口２１１が中央部に開口しており、この装着口２１１の内周縁部にスイッチ本体１００が装着される。補強枠２２０は、取付枠２１０の外周に取り付けられる。
化粧プレート３００は、取付ユニット２００の外周を被覆するための構成部品である。この化粧プレート３００には、中央に開口部３０１が形成してあり、この開口部３０１内に操作板４００が配置される。
なお、これら取付枠２１０と補強枠２２０とで構成された取付ユニット２００、および化粧プレート３００は、例えば特開平４−４２７２１号公報等で既に公知であるため、その詳細な説明は省略する。
【００１９】
操作板４００は、図６に示す如く、裏面に係止爪４０１を有しており、この係止爪４０１をスイッチ本体１００の作動子１１２に設けた係止バネ１１５と係合させることにより、スイッチ本体１００に装着される。
【００２０】
また、この操作板４００の表面中央部には、図１に示す如く、任意の深さで矩形状の凹部４１０が形成してあり、さらにこの凹部４１０内に表示開口部４１１が穿設してある。表示開口部４１１は、表示体５００を配置するための表示領域４１１ａと、ネオン管１１０からの光線を透過させる透光領域４１１ｂを形成している。
【００２１】
凹部４１０の底面には化粧シート４２０が配置され、さらに透明フード４３０が嵌め込まれる。化粧シート４２０は、凹部４１０と対応する矩形状に形成した薄肉の樹脂フィルムからなり、表示開口部４１１の表示領域４１１ａと対応する位置に透明表示窓４２１が形成してある。また、表示開口部４１１の透光領域４１１ｂと対応する位置には発光確認窓４２２が形成してある。なお、これら透明表示窓４２１および発光確認窓４２２以外の領域は、不透明な彩色やデザインが施されている。透明フード４３０は、凹部４１０と対応する矩形状の透明なプラスチック板で形成してある。
【００２２】
上述した凹部４１０、表示開口部４１１、化粧シート４２０、および透明フード４３０により、表示体５００を操作板４００の表面側から視認するための表示部４０２が構成される。
表示体５００は、スイッチ装置によってオンオフ制御される照明等の設置場所を使用者に認識させるための表示（例えば、「居間」「廊下」「トイレ」「洗面」）が付されたプレートである。この表示体５００は、スイッチ装置に付属されるか、またはユーザよって作成される。
この表示体５００は、操作板４００の裏面側から表示開口部４１１の表示領域４１１ａに配置される。なお、表示開口部４１１の表面側は、化粧シート４２０および透明フード４３０によって閉塞されている。
【００２３】
操作板４００の裏面側には、図１、図６、図７に示す如き表示体保持カバー４４０により表示体保持構造が形成されている。
操作板４００の裏面には、裏面凹部４４１が形成してあり、この裏面凹部４４１内に表示開口部４１１が開口している。裏面凹部４４１の一端縁角部には、図６、図７に示す如く軸受部４４２が形成してあり、この軸受部４４２により表示体保持カバー４４０に形成した支軸４４３を回動自在に支持する。また、裏面凹部４４１の他端縁角部には、係止凸部４４４が形成してある。一方、表示体保持カバー４４０には係止手段としての係止爪４４５が形成してあり、この係止爪４４５を係止凸部４４４に係止することで、表示体保持カバー４４０が閉塞位置へ確実に保持される。
【００２４】
表示体保持カバー４４０は、図７に示す如く支軸４４３を中心に回動して操作板４００に形成した表示開口部４１１を裏面側から閉塞する。図７（ｂ）に示す閉塞状態においては、表示体保持カバー４４０は裏面凹部４４１内に保持される。したがって、表示体保持カバー４４０は操作板４００の裏面と略フラットな閉塞状態を形成することができ、したがって、操作スイッチ１００との干渉が回避される。
【００２５】
このように、本実施形態のスイッチ装置は、表示体５００を操作板４００の裏面側から表示開口部４１１に配置し、かつ表示体保持カバー４４０によって表示体５００の配置状態を保持する構成となっている。表示開口部４１１に保持された表示体５００は、化粧シート４２０の透明表示窓４２１、および透明フード４３０を透して外部から視認することができる。
【００２６】
さらに、表示体保持カバー４４０には、表示開口部４１１の透光領域４１１ｂと対向する部位に、光透用の切欠部４４６が穿設してあり、しかもこの切欠部４４６に導光体４４７が固着してある。導光体４４７は、ネオン管１１０からの光線を化粧シート４２０の発光確認窓４２２へと透過する機能を有している。したがって、ネオン管１１０から発せられた光線は、ランプフード１１４を介して導光体４４７に入射し、発光確認窓４２２へと導かれるので、操作板４００の表面側から視認することができる。
【００２７】
ここで、ネオン管１１０、導光体４４７、および発光確認窓４２２は、直線上に配置してある（図３参照）。このような配置とすることにより、導光体４４７に入射した光線を、その内部で反射または屈折することなく透過させることができる。したがって、少ない減衰量でネオン管１１０からの光線を、発光確認窓４２２へと導くことができる。しかも、導光体４４７は、入射した光線を直線的に透過させるだけでよいため、平板状などの簡単な形状とすることができ、容易に製作することができる。
【００２８】
なお、本発明は上述した実施形態に限定されるものではなく、例えば、図８，図９に示す如く、取付ユニット２００に複数のスイッチ本体１００を取付け、各スイッチ本体１００ごとに操作板４００を装着した構成のスイッチ装置に対しても、本発明を適用することができる。この場合は、各操作板４００に対して表示部と表示体保持構造を形成する。
また、表示体保持カバーは、回動操作により表示開口部４１１を裏面から閉塞する構成のみならず、例えば、スライド操作によって表示開口部４１１を閉塞する構成とすることもできる。
【００２９】
【発明の効果】
以上説明したように、本発明によれば、表示部とは別個に形成した表示体保持構造により、表示体を操作板の裏面側から保持するので、表示部を傷つけることなく表示体の取り替え作業を容易に行うことができる。
【図面の簡単な説明】
【図１】本発明の実施形態に係るスイッチ装置の分解斜視図である。
【図２】同スイッチ装置の外観を示す斜視図である。
【図３】同スイッチ装置を図２のＡ−Ａ線方向に切断した断面図である。
【図４】スイッチ本体の分解斜視図である。
【図５】（ａ）はスイッチ本体の平面図、（ｂ）はスイッチ本体の正面図、（ｃ）はスイッチ本体の正面断面図である。
【図６】操作板を裏面から看た分解斜視図である。
【図７】操作板の正面断面図であり、（ａ）は表示体保持カバーを開いた状態を示す断面図、（ｂ）は表示体保持カバーを閉じた状態を示す断面図である。
【図８】本発明の応用例を示す斜視図である。
【図９】本発明の他の応用例を示す斜視図である。
【図１０】従来例を示す分解斜視図である。
【符号の説明】
１００：スイッチ本体          １０１：ケース
１０１ａ：電線挿入孔          １０１ｂ：解除孔
１０２：蓋体                  １０２ａ：軸受部
１０３：押えバネ              １０４：リリースボタン
１０５ａ：固定接点            １０５：固定端子
１０６ａ：切替接点            １０６：切替端子
１０７ａ：支持バネ            １０７：共通端子
１０８ａ：可動接点            １０８：可動接触子
１０９：ランプホルダ          １１０：ネオン管（発光体）
１１１：転換子                １１１ａ：作動アーム
１１２：作動子                １１３：コイルバネ
１１４：ランプフード          １１５：係止バネ
２００：取付ユニット        ２１０：取付枠
２１１：装着口                ２２０：補強枠
３００：化粧プレート          ３０１：開口部
４００：操作板                ４０１：係止爪
４０２：表示部                ４１０：凹部
４１１：表示開口部            ４１１ａ：表示領域
４１１ｂ：透光領域            ４２０：化粧シート
４２１：透明表示窓            ４２２：発光確認窓
４３０：透明フード            ４４０：表示体保持カバー
４４１：裏面凹部              ４４２：軸受部
４４３：支軸                  ４４４：係止凸部
４４５：係止爪                ４４６：切欠部
４４７：導光体                ５００：表示体
【図１】
0004426038.tif 000002
【図２】
0004426038.tif 000003
【図３】
0004426038.tif 000004
【図４】
0004426038.tif 000005
【図５】
0004426038.tif 000006
【図６】
0004426038.tif 000007
【図７】
0004426038.tif 000008
【図８】
0004426038.tif 000009
【図９】
0004426038.tif 000010
【図１０】
0004426038.tif 000011